(57)【要約】【課題】薄型ディスプレイ装置において、点検及び修理時に高価な専用の治具を必要とすることなく、フロントキャビネットを起立姿勢で保持可能とする。【解決手段】フロントキャビネット３からリアキャビネット４を取り外して、リアキャビネット４のいずれかの対角に設けられている第２の凹部１２にフロントキャビネット３の左右端部を挿入する。これにより、フロントキャビネット３が起立姿勢で保持され、点検及び修理が容易となる。【選択図】図５
2006064795.tif 000002
【特許請求の範囲】
【請求項１】
画像を表示する液晶表示パネルと、
前記液晶表示パネルを駆動するための駆動回路、放送信号を受信するためのチューナ、及び各部を制御するための制御回路が実装された回路基板と、
前記液晶表示パネル及び回路基板を前面側及び後面側から被って外装ケースを形成するフロントキャビネット及びリアキャビネットとを備え、
前記液晶表示パネル及び回路基板は前記フロントキャビネットに装着されている液晶ディスプレイ装置において、
前記回路基板は、前記液晶表示パネルの背面側において、左右両端部を避けて略中央部に前記液晶表示パネルと対向させて設けられ、
前記リアキャビネットは、
前記液晶表示パネルの背面側の左右両端部に対向する位置に設けられ、該液晶表示パネル及び前記フロントキャビネットが結合される鍔部と、
前記回路基板に対向する位置に、該回路基板と干渉しないように、前記鍔部から後方に向けて退避された第１の凹部と、
前記鍔部における、前記リアキャビネットのいずれかの対角の近傍に相当する位置に、該鍔部から後方に向けて退避された一対の第２の凹部と有し、
前記第２の凹部の側面及び底面は、不織布で被われており、
前記フロントキャビネットとリアキャビネットとを分解したとき、前記第２の凹部に前記フロントキャビネットの端部を挿入して、該フロントキャビネットを起立姿勢で保持可能としたことを特徴とする液晶ディスプレイ装置。
【請求項２】
画像を表示する表示パネルと、
前記表示パネルを駆動するための駆動回路が実装された回路基板と、
前記表示パネル及び回路基板を前面側及び後面側から被って外装ケースを形成するフロントキャビネット及びリアキャビネットとを備えた薄型ディスプレイ装置において、
前記リアキャビネットは、
前記回路基板に対向する位置に、該回路基板と干渉しないように、後方に向けて退避された第１の凹部と、
該リアキャビネットのいずれかの対角の近傍に、後方に向けて退避された第２の凹部と有し、
フロントキャビネットとリアキャビネットとを分解したとき、前記第２の凹部に前記表示パネル又は回路基板を挿入して、両者を起立姿勢で保持可能としたことを特徴とする薄型ディスプレイ装置。
【発明の詳細な説明】
【技術分野】
【０００１】
本発明は、液晶ディスプレイ装置等の薄型のディスプレイ装置に関するものである。
【背景技術】
【０００２】
近年、液晶ディスプレイ装置に代表されるような薄型のディスプレイ装置が実用化されている。このような薄型のディスプレイ装置のパネル本体部は、通常、前面側のフロントキャビネットと、後面側のリアキャビネットによって、その外装が形成されている。フロントキャビネットには液晶表示パネル等のパネル本体部の内部に実装される主要な部品が装着されており、リアキャビネットにはパネル本体部を支持するためのスタンド等が結合されている。液晶表示パネルの背面側には、液晶表示パネルを駆動するための駆動回路、放送信号を受信するためのチューナ、各部を制御するための制御回路等が実装された回路基板が装着されている。従って、薄型ディスプレイ装置、特に回路基板の点検や修理を行なう際には、フロントキャビネットとリアキャビネットを分離させ、フロントキャビネット側にある回路基板を露出させる必要がある。
【０００３】
ところが、リアキャビネットが取り外されたフロントキャビネットを液晶表示パネルの表示面を下向きにして作業机等に載置させた場合、液晶表示パネルに損傷を及ぼすことがある。従って、回路基板の点検や修理を行なう際には、フロントキャビネットを何らかの手段、例えば専用の治具によって、起立姿勢で保持する必要がある。しかしながら、このような専用の治具は、汎用性に乏しく大量に生産されることもないので、製造コストが嵩み、その結果として、薄型ディスプレイ装置の点検や修理に要するコストの高騰を招いている。
【０００４】
なお、特許文献１には、第１の回路基板に対して第２の回路基板を起立姿勢で保持できるようにしたプラズマディスプレイ装置が示されている。また、特許文献２には、金属製外装ケースのかしめ爪の破損を防止する液晶ディスプレイ装置が示されている。しかしながら、いずれの特許文献に示される技術的思想を適用しても、上記課題を解決することができない。
【特許文献１】特開２００２−３５３６６０号公報
【特許文献２】特開２００１−２３５７３１号公報
【発明の開示】
【発明が解決しようとする課題】
【０００５】
本発明は、上記課題を解決するためになされたものであり、高価な専用の治具を必要とすることなく、フロントキャビネットを起立姿勢で保持することができる液晶ディスプレイ装置及び薄型ディスプレイ装置を提供することを目的とする。
【課題を解決するための手段】
【０００６】
上記目的を達成するために請求項１の発明は、画像を表示する液晶表示パネルと、液晶表示パネルを駆動するための駆動回路、放送信号を受信するためのチューナ、及び各部を制御するための制御回路が実装された回路基板と、液晶表示パネル及び回路基板を前面側及び後面側から被って外装ケースを形成するフロントキャビネット及びリアキャビネットとを備え、液晶表示パネル及び回路基板はフロントキャビネットに装着されている液晶ディスプレイ装置において、回路基板は、液晶表示パネルの背面側において、左右両端部を避けて略中央部に液晶表示パネルと対向させて設けられ、リアキャビネットは、液晶表示パネルの背面側の左右両端部に対向する位置に設けられ、該液晶表示パネル及びフロントキャビネットが結合される鍔部と、回路基板に対向する位置に、該回路基板と干渉しないように、鍔部から後方に向けて退避された第１の凹部と、鍔部における、リアキャビネットのいずれかの対角の近傍に相当する位置に、該鍔部から後方に向けて退避された一対の第２の凹部と有し、第２の凹部の側面及び底面は、不織布で被われており、フロントキャビネットとリアキャビネットとを分解したとき、第２の凹部にフロントキャビネットの端部を挿入して、該フロントキャビネットを起立姿勢で保持可能としたものである。
【０００７】
請求項２の発明は、画像を表示する表示パネルと、表示パネルを駆動するための駆動回路が実装された回路基板と、表示パネル及び回路基板を前面側及び後面側から被って外装ケースを形成するフロントキャビネット及びリアキャビネットとを備えた薄型ディスプレイ装置において、リアキャビネットは、回路基板に対向する位置に、該回路基板と干渉しないように、後方に向けて退避された第１の凹部と、該リアキャビネットのいずれかの対角の近傍に、後方に向けて退避された第２の凹部と有し、フロントキャビネットとリアキャビネットとを分解したとき、第２の凹部に表示パネル又は回路基板を挿入して、両者を起立姿勢で保持可能としたものである。
【発明の効果】
【０００８】
請求項１の発明によれば、フロントキャビネットとリアキャビネットとを分解したとき、リアキャビネットの第２の凹部にフロントキャビネットの端部を挿入して、フロントキャビネットを起立姿勢で保持できるので、回路基板の点検や修理を行なうとき、従来必要としていた高価な専用の治具が不要となり、液晶ディスプレイ装置の点検や修理に要するコストを抑制することができる。また、第２の凹部がリアキャビネットのいずれかの対角に設けられているので、フロントキャビネットをその左右両端で保持することができ、フロントキャビネットの姿勢を安定させることができる。また、リアキャビネットの左右両端部にフロントキャビネットとの結合のための鍔部が形成されているので、両者の結合を強固なものとすることができる。さらに、第２の凹部の側面及び底面は、不織布で被われているので、フロントキャビネットを挿入する際に、フロントキャビネットの端部が損傷する虞もない。
【０００９】
請求項２の発明によれば、フロントキャビネットとリアキャビネットとを分解したとき、リアキャビネットの第２の凹部にフロントキャビネットの端部を挿入して、フロントキャビネットを起立姿勢で保持できるので、回路基板の点検や修理を行なうとき、従来必要としていた高価な専用の治具が不要となり、薄型ディスプレイ装置の点検や修理に要するコストを抑制することができる。また、第２の凹部がリアキャビネットのいずれかの対角に設けられているので、フロントキャビネットをその左右両端で保持することができ、その姿勢を安定させることができる。
【発明を実施するための最良の形態】
【００１０】
本発明を実施するための最良の実施形態による薄型ディスプレイ装置について図面を参照して説明する。図１及び図２は薄型ディスプレイ装置の一例である液晶ディスプレイ装置を示している。液晶ディスプレイ装置１は、画像を表示する液晶表示パネル２と、液晶表示パネル２を前面側及び後面側から被って外装ケースを形成するフロントキャビネット３及びリアキャビネット４と、リアキャビネット４を支持するためのスタンド部材５等を備えている。液晶表示パネル２の背面側には回路基板６が装着されている（図３、５参照）。回路基板６には、液晶表示パネル２を駆動するための駆動回路、放送信号を受信するためのチューナ、及び各部を制御するための制御回路が実装されている。
【００１１】
図３は、フロントキャビネット３の背面を示している。液晶表示パネル２は、フロントキャビネット３の背面側に装着されている。回路基板６は、液晶表示パネル２の背面側において、左右両端部を避けて略中央部に液晶表示パネル２と対向させて設けられている。なお、回路基板６には、上述した駆動回路、チューナ、及び制御回路を構成するための各種の電子部品が主として背面側に実装されているが、その図示は省略するものとする。
【００１２】
図４は、リアキャビネット４を示している。リアキャビネット４は、液晶表示パネル２の背面側の左右両端部に対向する位置に設けられ、液晶表示パネル２及びフロントキャビネット３が結合される鍔部１０と、回路基板６に対向する位置に、回路基板６と干渉しないように、鍔部１０から後方に向けて退避された第１の凹部１１とを有している。また、鍔部１０は、リアキャビネット４のいずれかの対角の近傍に、後方に向けて退避された一対の第２の凹部１２を有している。この第２の凹部１２は、フロントキャビネット３の左右端部に対応する形状とされ、その側面及び底面は、後述するようにフロントキャビネット３等が挿入されたときにフロントキャビネット３等に損傷を及ぼさないように、不織布で被われている。
【００１３】
図５は回路基板６等の点検及び修理を行なっているときの液晶ディスプレイ装置１を示している。回路基板６の点検及び修理は、フロントキャビネット３とリアキャビネット４とを分解して、回路基板６を露出させた状態で行なわれる。本液晶ディスプレイ装置１では、フロントキャビネット３とリアキャビネット４とを分解したとき、従来必要としていた高価な専用の治具を用いることなくフロントキャビネット３を自立させることができる。フロントキャビネット３の自立は、取り外したリアキャビネット４の第２の凹部１２にフロントキャビネット３の端部を挿入して、該フロントキャビネット３を起立姿勢で保持することにより実現される。このとき、第２の凹部１２の幅寸法をフロントキャビネット３の厚み寸法より若干大きく設定しておくことにより、フロントキャビネット３を作業者の顔に向けて若干傾けた状態で保持することが可能となり、点検や修理の作業効率を高めることができる。
【００１４】
以上のように、本実施形態の液晶ディスプレイ装置１によれば、フロントキャビネット３とリアキャビネット４とを分解したとき、リアキャビネット４の第２の凹部１２にフロントキャビネット３の端部を挿入して、フロントキャビネット３を起立姿勢で保持できるので、回路基板６の点検や修理を行なうとき、従来必要としていた高価な専用の治具が不要となり、液晶ディスプレイ装置１の点検や修理に要するコストを抑制することができる。また、第２の凹部１２がリアキャビネット４のいずれかの対角に設けられているので、フロントキャビネット３をその左右両端で保持することができ、フロントキャビネット３の姿勢を安定させることができる。また、リアキャビネット４の左右両端部にフロントキャビネット３との結合のための鍔部１０が形成されているので、両者の結合を強固なものとすることができる。さらに、第２の凹部１２の側面及び底面は、不織布で被われているので、フロントキャビネット３を挿入する際に、フロントキャビネット３の左右端部が損傷する虞もない。
【００１５】
なお、本発明は上記実施形態の構成に限られることなく種々の変形が可能である。例えば、本発明は、液晶ディスプレイ装置１以外の他の薄型ディスプレイ装置、例えば、プラズマディスプレイ装置等にも広く適用することができる。また、第２の凹部１２の周辺、又は第１の凹部１１の内面であって挿入されたフロントキャビネット３に対応する部分に、フロントキャビネット３を挿入する際にフロントキャビネット３を案内するためのガイド部を形成してもよい。さらに、このガイド部に対応する係合部をフロントキャビネット３の背面側に形成しても構わない。
【図面の簡単な説明】
【００１６】
【図１】本発明の一実施形態による液晶ディスプレイ装置の正面図。
【図２】同装置の側面図。
【図３】リアキャビネットが取り外された状態のフロントキャビネットの背面図。
【図４】取り外されたリアキャビネットの斜視図。
【図５】リアキャビネットを用いて、フロントキャビネットを自立させた状態を示す斜視図。
【符号の説明】
【００１７】
１    液晶ディスプレイ装置
２    液晶表示パネル
３    フロントキャビネット
４    リアキャビネット
６    回路基板
１０    鍔部
１１    第１の凹部
１２    第２の凹部
【図１】
2006064795.tif 000003
【図２】
2006064795.tif 000004
【図３】
2006064795.tif 000005
【図４】
2006064795.tif 000006
【図５】
2006064795.tif 000007